(57)【要約】【課題】  バンドを用いずに風圧による合成樹脂製フィルムのばたつきを防止し、断熱性を向上させた簡易ハウスを提供する。【解決手段】  本発明の簡易ハウスは、防曇性を有する合成樹脂製フィルムが２枚重ねられ、それらの周囲が固定されて袋状に設けられた屋根部１５と、屋根部１５の２枚の合成樹脂製フィルム１２，１２間に空気を送風する送風機２０とを備え、屋根部１５は、送風機２０が２枚の合成樹脂製フィルム１２，１２間に送風した際に膨らむものであることを特徴とする。【選択図】  図２
2005176654.tif 000002
【特許請求の範囲】
【請求項１】
防曇性を有する合成樹脂製フィルムが２枚重ねられ、それらの周囲が固定されて袋状に設けられた屋根部と、屋根部の２枚の合成樹脂製フィルム間に空気を送風する送風機とを備え、
屋根部は、送風機が２枚の合成樹脂製フィルム間に送風した際に膨らむものであることを特徴とする簡易ハウス。
【請求項２】
送風機の送風部には、逆止弁が設置されていることを特徴とする請求項１に記載の簡易ハウス。
【請求項３】
該合成樹脂製フィルムの片面には、親水性無機化合物と合成樹脂バインダ成分とからなる防曇性塗布組成物が塗布・乾燥されて防曇塗膜が形成されており、
該防曇塗膜が形成された面が内側に位置するように２枚の合成樹脂製フィルムが配置されていることを特徴とする請求項１に記載の簡易ハウス。
【請求項４】
該合成樹脂製フィルムは、保温材が練り込まれた層を有するポリオレフィン系樹脂製多層フィルムであることを特徴とする請求項３に記載の簡易ハウス。
【発明の詳細な説明】
【技術分野】
【０００１】
本発明は、農業用ビニルハウスなどに利用できる簡易ハウスに関する。
【背景技術】
【０００２】
植物栽培においては、組み立ておよび解体が容易な簡易ハウスであるビニルハウスで植物を保温または加温して栽培するハウス栽培が広く行われている。簡易ハウスは、図１０および図１１に示すように、例えば、パイプを支柱として組み立てられた骨組５１と、その骨組５１に沿って張られた透明の合成樹脂製フィルム５２と、合成樹脂製フィルム５２を取り付けた留め具５３と、留め具５３を骨組５１に固定する固定具５４と、合成樹脂製フィルム５２を骨組５１に押さえつけるバンド５５とを有して設置される（例えば、特許文献１参照）。
この簡易ハウスにおいて、合成樹脂製フィルムはバンドで骨組に押さえつけられているので、風圧による合成樹脂製フィルムのばたつきが防止されている。
また、この簡易ハウスでは、日中の昇温による植物の成長障害を防止するために、簡易ハウス内を換気できるようになっている。具体的には、合成樹脂製フィルムの一端５６が骨組５１に固定されておらず、巻き取り可能になっている。そして、合成樹脂製フィルムの一端を巻き取り、外気を簡易ハウス内に流入させて換気する。
【特許文献１】特開平８−３０８３９４号公報（図１）
【発明の開示】
【発明が解決しようとする課題】
【０００３】
しかしながら、上記簡易ハウスのように、合成樹脂製フィルムを骨組に押さえつけるためのバンドを有している場合、バンドが太陽光を遮って簡易ハウス内に日陰が生じたり、バンドにより擦れて破れたりすることがあった。
本発明は、前記事項を鑑みてなされたものであり、バンドを用いずに風圧による合成樹脂製フィルムのばたつきを防止し、断熱性を向上させた簡易ハウスを提供することを目的とする。
【課題を解決するための手段】
【０００４】
本発明の簡易ハウスは、防曇性を有する合成樹脂製フィルムが２枚重ねられ、それらの周囲が固定されて袋状に設けられた屋根部と、屋根部の２枚の合成樹脂製フィルム間に空気を送風する送風機とを備え、屋根部は、送風機が２枚の合成樹脂製フィルム間に送風した際に膨らむものであることを特徴とする。
本発明の簡易ハウスにおいては、送風機の送風部には、逆止弁が設置されていることが好ましい。
また、本発明の簡易ハウスにおいては、該合成樹脂製フィルムの片面には、親水性無機化合物と合成樹脂バインダ成分とからなる防曇性塗布組成物が塗布・乾燥されて防曇塗膜が形成されており、該防曇塗膜が形成された面が内側に位置するように２枚の合成樹脂製フィルムが配置されていることが好ましい。
さらに、本発明の簡易ハウスにおいては、該合成樹脂製フィルムが、保温材が練り込まれた層を有するポリオレフィン系樹脂製多層フィルムであることが好ましい。
【発明の効果】
【０００５】
本発明の簡易ハウスでは、袋状の屋根部に空気圧による張力が付与され、風圧に対する抵抗力が高くなっているので、バンドを用いずに風圧によるばたつきが防止されている。また、バンドによる擦れ破れを防止できる。さらに、屋根部の断熱性が高いので、保温性が高い。よって、簡易ハウスが温室である場合には、温度を上げるためのエネルギー量を削減できる。
【発明を実施するための最良の形態】
【０００６】
本発明の簡易ハウスの一実施形態例について説明する。
本実施形態例の簡易ハウスは、図１および図２に示すように、パイプを支柱として組み立てられた骨組１１と、その骨組１１に沿って張られた透明フィルム１２（合成樹脂製フィルム）と、透明フィルム１２を取り付けた留め具１３と、留め具１３を骨組１１に固定する固定具１４とを有するものである。また、この簡易ハウス１０の屋根部１５は、図２に示すように、透明フィルム１２が２枚重ねられ、その周囲が固定されて袋状に設けられたものである。
【０００７】
簡易ハウス１０において、留め具１３は、溝が形成されたフレームと、弾性を有し、その溝に嵌合する係止線条とからなるものである。ここで、溝が形成されたフレームは、溝の開口部の幅が狭くなっているものであり、図３に示すような、２つの溝３１，３１が形成されたフレーム１６（例えば、東都興業株式会社製商品名ダブルオキペット）、図４に示すような、１つの溝３１が形成されたフレーム１７（例えば、東都興業株式会社製商品名ビニペット）などが市販されている。また、溝が形成されたフレームに対応する係止線条として、図５に示すような、一定間隔で反転するように屈曲したスプリング１８が用いられる。
【０００８】
このような留め具に透明フィルムを取り付ける際には、フレームの溝内に透明フィルムを差し込んだ後、長さ方向に引き延ばして屈曲したスプリング１８をフレームの溝内に挿入し、図６に示すように、透明フィルム１２をスプリング１８とフレーム１７とで挟み込んで固定する。ここで、スプリング１８は、一定間隔で反転するように屈曲しているから、フレームの互い違いの側にフィルムを押圧する。
【０００９】
透明フィルム１２は、ポリオレフィン系樹脂製多層フィルムの片面に、親水性無機化合物と合成樹脂バインダ成分とからなる防曇性塗布組成物からなる防曇塗膜が形成されたものである。
ここで、親水性無機化合物としては、例えば、シリカ、アルミナ、水不溶性リチウムシリケート、硫酸バリウム等の無機質水性コロイド粒子を水または親水性媒体中に分散させた無機質コロイドゾルが挙げられ、これらは単独で用いても併用しても良い。これら無機質コロイドゾルの中でも、シリカゾル、アルミナゾルが好ましい。
また、合成樹脂バインダ成分としては、各種の水性合成樹脂バインダが用いられ、例えば、アクリル系樹脂、塩化ビニル−酢酸ビニル系樹脂、ポリエチレン樹脂、塩化ビニル系樹脂、塩化ビニリデン系樹脂、ポリウレタン系樹脂、ポリカーボネート系樹脂、スチロール系樹脂、酢酸ビニル系樹脂、不飽和ポリエステル系樹脂等の水性合成樹脂バインダが挙げられるが、特に水性アクリル系樹脂、水性ポリウレタン系樹脂が好適である。
防曇塗膜を形成する方法としては、防曇性塗布組成物をポリオレフィン樹脂製フィルムの片面に塗布する方法が挙げられる。
透明フィルム１２は、防曇塗膜が内側（室内側）に位置するように張り付けられる。外側の方が高温に、内側の方が低温になるため、内側に水滴が付着しやすいからである。
【００１０】
また、透明フィルム１２は、無機化合物系の保温材が練り込まれた層を有している。保温材としては、マグネシウム、カルシウム、アルミニウム、シリコン、リチウムから選ばれた少なくとも１種を含む無機化合物、無機水酸化物、ハイドロタルサイト類などが挙げられる。具体的には、ＳｉＯ２、Ａｌ２Ｏ３、ＭｇＯ、ＣａＯなどの無機化合物、Ａｌ（ＯＨ）３  、Ｍｇ（ＯＨ）２、Ｃａ（ＯＨ）２ などの無機水酸化物、式Ｍ２＋１−ＸＡｌＸ（ＯＨ）２（Ａｎ−）Ｘ／ｎ・ｍＨ２ Ｏで表される無機複合化合物、その焼成物等のハイドロタルサイト類などが挙げられる。ここで、前記式中Ｍ２＋は、Ｍｇ２＋、Ｃａ２＋、Ｚｎ２＋の二価金属イオンであり、Ａｎ−は、Ｃｌ−、Ｂｒ−、Ｉ−、ＮＯ３−、ＣｌＯ３−、ＳＯ４２−、ＣＯ３２−、ＳｉＯ３２−、ＨＰＯ４２−、ＨＢＯ３２−、ＰＯ４３−等のアニオンであり、Ｘは０＜Ｘ＜０．５の範囲にあり、ｍは０≦ｍ≦２の範囲内にある。
透明フィルム１２に保温材が練り込まれていれば、簡易ハウス内の熱を簡易ハウス外に逃がしにくい。
【００１１】
さらに、透明フィルム１２は、空気不透過性の樹脂フィルムである。空気不透過性であることで、後述するシロッコファンで２枚重ねられた透明フィルムの間に空気を送風したときに、透明フィルム間が空気で満たされる。なお、少なくとも一方の透明フィルムが空気透過性である場合には、透明フィルム間が空気で満たされない。なお、空気不透過性とは、通気度が０．１ｃｍ３／秒・ｃｍ２未満のことである。
【００１２】
また、この簡易ハウス１０は、屋根部１５をなす２枚の透明フィルム１２，１２の間に空気を送風する送風機であるシロッコファンを有している。ここで、シロッコファンは、図７および図８に示すように、筺体２１と、空気の吸気口であるフィルターグリル２２と、送風口（送風部）であるノズル２３と、ノズル２３を回転可能な状態で筺体２１に固定するノズルホルダ２４と、空気をフィルターグリル２２からノズル２３に向けて圧送するファン本体２５と、ノズル２３に設置された逆止弁２６と、ファン本体２５の駆動を制御するコントロールユニット２７と、コントロールユニット２７を筺体２１に固定するブラケット２８とを具備して構成される。
そして、シロッコファン２０のノズル２３は、蛇腹管２９を介して２枚重ねられた透明フィルム１２，１２の内側のフィルムに接続されている（図２参照）。
【００１３】
このようなシロッコファン２０によって、２枚重ねられた透明フィルムの間に空気を送風し、２枚の透明フィルム間を空気で満たす。なお、透明フィルム間に満たされた空気は留め具と透明フィルムとの隙間から簡易ハウスの外側に徐々に漏れ出すので、シロッコファン２０により継続的または断続的に送風する。断続的に送風する場合には、コントロールユニット２７によりファン本体２５の作動時間あるいは停止時間を制御する。
また、このシロッコファン２０により送風することで、２枚の透明フィルムの間に結露した水分を外部に放出でき、透明性を確保できるので好ましい。
なお、シロッコファン２０は、小型であっても２枚のフィルムの間に十分に空気を送り込める送風圧力を有しており、空間に余裕がなく設置場所が限られた簡易ハウスに設置するのに好適である。
【００１４】
また、シロッコファン２０は、逆止弁２６によって、ファン本体２５が停止したときに逆流が生じにくく、２枚の透明フィルム間を空気で確実に満たすことができる。なお、逆止弁を具備していない場合には、ファン本体２５が停止した際に、２枚の透明フィルム間の空気が逆流してしまうので、常時稼働させておく必要がある。
さらに、ノズルホルダ２４によってノズル２３が回転可能な状態で固定されており、ノズル２３の向きが自在なので、シロッコファン２０は設置場所の規制がより少ない。
【００１５】
このような構成の簡易ハウスは、例えば、以下のようにして組み立てられる。まず、地面の上に、金属パイプ等を支柱として骨組を組み立てるとともに、留め具に透明フィルムを取り付ける。次いで、留め具に取り付けられた透明フィルムを、骨組に沿って張り付け、留め具を骨組に固定する。そして、シロッコファンを、蛇腹管を介して２枚の透明フィルムのうちの内側のフィルムに接続して、最終的な簡易ハウスとする。
【００１６】
この簡易ハウスの組み立てにおいて、２枚の透明フィルムが張られた屋根部の設置方法は以下の通りである。すなわち、留め具として図３に示すような溝３１，３１が２つ形成されたフレーム１６を用い、それぞれの溝３１に１枚の透明フィルム１２の端縁部を取り付ける（図９参照）。また、同様にして、それぞれの透明フィルムの反対側の端縁部を、溝が２つ形成されたフレームに取り付けて、透明フィルムが二重になるように固定する。次いで、溝が２つ形成されたフレームで固定されなかった透明フィルムの端縁部を、図４に示すような溝が１つ形成されたフレーム１７を用いて、２枚の透明フィルムをひとまとめに取り付ける。そして、図１に示すように、このように２枚重ねた透明フィルム１２，１２を、屋根部を構成する骨組１１に沿って張り付け、フレーム１６，１７を骨組に固定して、２枚の透明フィルムが重ねられた屋根部１５を設ける。
【００１７】
上述した実施形態例にあっては、屋根部をなしている２枚の透明フィルムの間にシロッコファン２０により空気を送風するので、屋根部１５が膨らんで透明フィルム１２（特に、外側の透明フィルム）に張力を付与することができる。このように、屋根部をなしている透明フィルム１２に張力を付与することで、風圧に対する抵抗力が高くなるので、バンドを用いて透明フィルムを骨組に押さえつけなくても、風圧に対するばたつきを抑えることができる。
また、２枚の透明フィルムの間に空気を送風することで、屋根部に空気の層を設けることができるので、断熱性を高めることができ、簡易ハウスの保温性が高くなる。その結果、この簡易ハウスを温室として用いた場合には、温度を高めるためのエネルギー量を少なくできる。
【００１８】
また、本実施形態例では、外側の透明フィルムにおいて、その内側面に防曇塗膜が形成されているので、透明フィルムの内面の面に水滴が付着した場合に、その水滴が大きくならず均一に濡れた状態になるので光の透過が阻害されず植物の栽培に好適である。また、内面に付着した水分は、シロッコファンによる送風で留め具とフィルムとの間の隙間から漏れ出した空気とともに簡易ハウス外に排出されるので２枚の透明フィルムの間に水分が貯まることは無く、光の透過が妨害されることは無い。
【００１９】
上述した実施形態例では、屋根部だけでなく簡易ハウスの側部も透明フィルムが２枚重ねられて設けられてもよい。側部も透明フィルムが２枚重ねられて設けられていれば、断熱性がより高くなり、保温性がより高くなる。
また、上述した実施形態例においては、透明フィルムの材質がポリエチレン樹脂であったが、例えば、塩化ビニル樹脂であってもよい。
さらに、合成樹脂製フィルムに防曇性組成物が塗布されて防曇塗膜が形成されていたが、透明フィルムに防曇性組成物が練り込まれていてもよい。ただし、練り込みより塗布の方がより防曇性を発揮する。
【実施例】
【００２０】
（実施例）
福島県郡山地区にて、２枚のフィルムが重ねられ、それらの周囲が固定されて袋状になった屋根部を２個有する２連棟の簡易ハウス（間口６ｍ×２、長さ４０ｍ）を組み立てた。２枚のフィルムの間に、図８に記載の送風機で空気を送風した。その送風の設定は、３分間送風、５分間停止とした。
（比較例）
実施例と同じ場所で、屋根部が従来の一枚のフィルムからなり、屋根部をバンドで抑えた２連棟の簡易ハウス（間口６ｍ×２、長さ４０ｍ）を組み立てた。
なお、実施例および比較例で用いたフィルムとしては、農業用ポリオレフィンフィルム（シーアイ化成製「テキナシ５」、厚さ０．１５ｍｍ）を用いた。このフィルムは５層構造であり、内側の３層には保温材であるハイドロタルサイトが含まれている。また、片面には、シリカゾル（親水性無機化合物）とアクリル変性ウレタンエマルジョン（合成樹脂バインダ成分）とを含む防曇性組成物が塗布されて防曇塗膜が形成されている。
【００２１】
平成１５年１１月において、実施例および比較例の簡易ハウスを、ボイラーを用いて加温設定温度２０℃で加温し、そのボイラーの重油消費量を測定した。
実施例での重油消費量は７５００リットル、比較例での重油消費量は５２５０リットルであった。すなわち、実施例での重油消費量は比較例の３割程度であり、重油の価格を４０円／リットルとして計算すると９万円のコストダウンが図れる。このような差が生じたのは、断熱性に優れていたためである。
【産業上の利用可能性】
【００２２】
本発明の簡易ハウスは、野菜、果実、草花などの人工栽培に好適に利用できる。さらには、室内で作業や運動することが可能な簡易建物として利用することもできる。
【図面の簡単な説明】
【００２３】
【図１】本発明に係る簡易ハウスの一実施形態例を示す斜視図である。
【図２】図１を、線Ａに沿って切断したときの断面図である。
【図３】留め具を構成するフレームの一例を示す斜視図である。
【図４】留め具を構成するフレームの他の例を示す斜視図である。
【図５】留め具を構成するスプリングの一例を示す斜視図である。
【図６】留め具の使用方法を説明する図である。
【図７】送風機であるシロッコファンを示す斜視図である。
【図８】シロッコファンの構成を説明する図である。
【図９】２枚の透明フィルムを留め具に取り付ける方法を説明する図である。
【図１０】従来の簡易ハウスを示す斜視図である。
【図１１】図１０を線Ｂに沿って切断したときの断面図である。
【符号の説明】
【００２４】
１０  簡易ハウス
１２  透明フィルム（合成樹脂製フィルム）
１５  屋根部
２０  シロッコファン（送風機）
２３  ノズル（送風部）
２６  逆止弁
【図１】
2005176654.tif 000003
【図２】
2005176654.tif 000004
【図３】
2005176654.tif 000005
【図４】
2005176654.tif 000006
【図５】
2005176654.tif 000007
【図６】
2005176654.tif 000008
【図７】
2005176654.tif 000009
【図８】
2005176654.tif 000010
【図９】
2005176654.tif 000011
【図１０】
2005176654.tif 000012
【図１１】
2005176654.tif 000013